(57)【要約】      （修正有）【課題】ハンズフリーインターホン親機の前面に居住者が立っていない場合に、ハンズフリーインターホン親機からドアホン子機への音声を遮断するインターホン装置を提供する。【解決手段】門扉、または玄関に設置されたドアホン子機と、居室内に設置されたハンズフリーインターホン親機で構成されたインターホン装置においてハンズフリーインターホン親機には、ハンズフリーインターホン親機の前面にいる人を検知する親機人感センサと、親機人感センサからの親機人感ＯＦＦ信号により、ハンズフリーインターホン親機からドアホン子機への音声を通過／遮断する事ができる親機音響部とを備えたことを特徴とする。【選択図】図１
2008085404.tif 000002
【特許請求の範囲】
【請求項１】
門扉、または玄関に設置されたドアホン子機(１)と、居室内に設置されたハンズフリーインターホン親機(２)で構成されたインターホン装置において
前記ハンズフリーインターホン親機には、前記ハンズフリーインターホン親機の前面にいる人を検知する親機人感センサ(２０６)と、前記ハンズフリーインターホン親機から前記ドアホン子機への音声を通過／遮断を行なう親機音響部(２０２)と、前記親機人感センサからの親機人感信号により、前記親機音響部の通過／遮断制御を行なうＣＰＵ(２０１)を備えた事を特徴とするインターホン装置。
【請求項２】
門扉、または玄関に設置されたドアホン子機(１)と、居室内に設置されたハンズフリーインターホン親機(２)で構成されたインターホン装置において、
前記ハンズフリーインターホン親機には、超音波発生部(２０８)と、前記超音波発生部からの超音波を出力するスピーカ(２０４)と、前記スピーカからの超音波を受信するマイク(２０３)と、前記マイクで受信した音から超音波を検出する超音波検出部(２０９)と、前記ハンズフリーインターホン親機から前記ドアホン子機への音声を通過／遮断を行なう親機音響部(２０２)と、前記超音波検出部からの超音波検出信号(親機人感信号)により、前記親機音響部の通過／遮断制御を行なうＣＰＵ(２０１)を備えた事を特徴とするインターホン装置。
【請求項３】
前記ドアホン子機には、前記ドアホン子機の前面にいる人を検知することより前記ハンズフリーインターホン親機に子機人感信号を送出するする子機人感センサ(１０６)を備えており、
前記ハンズフリーインターホン親機には、子機人感ＯＦＦ信号と親機人感ＯＦＦ信号を受信した時に、前記ドアホン子機と前記インターホン親機の通話を終了させる前記ＣＰＵを備えた事を特徴とする請求項１または２記載のインターホン装置。
【発明の詳細な説明】
【技術分野】
【０００１】
本発明はインターホン装置に係り、特に、ドアホン子機との通話中ハンズフリーインターホン親機の前に人が立っている場合に双方向通話を行い、ハンズフリーインターホン親機の前に人がいない時には、ハンズフリーインターホン親機からドアホン子機への音声を遮断するインターホン装置に関する。
【背景技術】
【０００２】
従来からハンズフリーインターホンとして、ドアホン子機と通話する場合にはハンズフリーインターホン親機にて通話操作を行い、ドアホン子機との通話を終話する場合にはハンズフリーインターホン親機にて終話操作を行なうインターホン装置が開示されている。（例えば、特許文献１を参照。）。
【０００３】
【特許文献１】特開２００３-２０９６２６（段落番号「００１６」）
【発明の開示】
【発明が解決しようとする課題】
【０００４】
背景時術に記載した特許文献１のハンズフリーインターホン親機において、通話を終話する場合には終話操作を行なう必要があった。そのため、終話操作を行なわずにハンズフリー親機の前を立ち去った場合には、居室内の音声がドアホン子機側で聞こえてしまっていた。
【０００５】
本発明は、この難点を解決するためになされたもので、ドアホン子機と通話中にハンズフリーインターホン親機の前面に人が立っている場合には双方向通話を行い、立ち去った場合にはハンズフリーインターホン親機からドアホン子機への通話を遮断するインターホン装置を提供することを目的としている。
【課題を解決するための手段】
【０００６】
前述の目的を達成するため、本発明の第１の態様であるハンズフリーインターホン装置は、門扉、または玄関に設置されたドアホン子機と、居室内に設置されたハンズフリーインターホン親機で構成されたインターホン装置においてハンズフリーインターホン親機には、ハンズフリーインターホン親機の前面にいる人を検知する親機人感センサと、ハンズフリーインターホン親機からドアホン子機への音声を通過／遮断を行なう親機音響部と、親機人感センサからの親機人感信号により、親機音響部の通過／遮断制御を行なうＣＰＵとを備えたものである。
【０００７】
また、本発明の第２の態様であるハンズフリーインターホン装置は、門扉、または玄関に設置されたドアホン子機と、居室内に設置されたハンズフリーインターホン親機で構成されたインターホン装置において、ハンズフリーインターホン親機には、超音波発生部と、超音波発生部からの超音波を出力するスピーカと、スピーカからの超音波を受信するマイクと、前記マイクで受信した音から超音波を検出する超音波検出部と、ハンズフリーインターホン親機からドアホン子機への音声を通過／遮断を行なう親機音響部と、超音波検出部からの超音波検出信号(親機人感信号)により、親機音響部の通過／遮断制御を行なうＣＰＵとを備えたものである。
【０００８】
また、本発明の第３の態様であるハンズフリーインターホン装置は、本発明の第１の態様または第２の態様においてドアホン子機には、ドアホン子機の前面にいる人を検知することよりハンズフリーインターホン親機に子機人感信号を送出するする子機人感センサを備えており、ハンズフリーインターホン親機には、子機人感ＯＦＦ信号と親機人感ＯＦＦ信号を受信した時に、ドアホン子機とインターホン親機の通話を終了させるＣＰＵとを備えたものである。
【発明の効果】
【０００９】
本発明の請求項１のハンズフリーインターホン装置によれば、親機人感センサによってハンズフリーインターホン親機の前面に人が立っているかを検知する事ができるため、終話操作をせずにハンズフリーインターホン親機の前を立ち去った場合、ハンズフリーインターホン親機からドアホン子機への音声を遮断する事ができる。
請求項２のハンズフリーインターホン装置によれば、ハンズフリーインターホン親機のスピーカマイクを利用した超音波人感検知によってハンズフリーインターホン親機の前面に人が立っているかを検知する事ができるため、終話操作をせずにハンズフリーインターホン親機の前を立ち去った場合、ハンズフリーインターホン親機からドアホン子機への音声を遮断する事ができる。
請求項３のハンズフリーインターホン装置によれば、子機人感センサによってドアホン子機の前面に人が立っているかを検知する事ができるため、ハンズフリーインターホン親機及びドアホン子機の前に人が立っていなかった場合に、終話処理を行なうことができる。
【発明を実施するための最良の形態】
【００１０】
以下、本発明のハンズフリーインターホン装置を実施するための最良の形態例について、図面を参照して説明する。
【００１１】
図１は、本発明の第１の実施例によるインターホン装置の具体的な構成を示すブロック図である。
【００１２】
ドアホン子機１は、ハンズフリーインターホン親機２と通話する為の音響部１０２、マイク１０３、スピーカ１０４、ハンズフリーインターホン親機２を呼び出すための呼出ボタン１０５、ドアホン子機１の前面に人が立っているかを検知する子機人感センサ１０６、子機Ｉ／Ｆ１０７を備え、ハンズフリーインターホン親機２は、ハンズフリーインターホン親機を制御するＣＰＵ２０１、ドアホン子機１と通話する為の音響部２０２、マイク２０３、スピーカ２０４、ドアホン子機１と通話／終話するための通話ボタン２０５、ハンズフリーインターホン親機２の前面に人が立っているかを検知する親機人感センサ２０６、親機Ｉ／Ｆ２０７を備えている。
【００１３】
このように構成されたインターホン装置について以下、動作を説明する。玄関先にいる来訪者が居住者を呼び出すためにドアホン子機１の呼出ボタン１０５を押下すると、ハンズフリーインターホン親機２のＣＰＵ２０１が呼出を検出し、スピーカ２０４にて呼出音を鳴動させる。これを確認した居住者が、ハンズフリーインターホン親機２の通話ボタン２０５を押下すると、ＣＰＵ２０１がハンズフリーインターホン親機２の音響部２０２とドアホン子機１の音響部１０２を能動となる。これによりドアホン子機１とハンズフリーインターホン親機２との間で通話が可能とする。この時、来訪者、居住者はそれぞれ、ドアホン子機１とハンズフリーインターホン親機２の前面に立っており、子機人感センサ１０６、親機人感センサ２０６はＣＰＵ２０１に子機人感ＯＮ信号、親機人感ＯＮ信号を送信する。玄関先にいる来客者との通話が終了する場合は、ハンズフリーインターホン親機２の通話ボタン２０５を再度押下する事によって終話させる事ができる。
【００１４】
この時に、居住者が通話ボタン２０５の押下を忘れて立ち去ってしまった場合、親機人感センサ２０６で居住者が立ち去った事を検知し、ＣＰＵ２０１に親機人感ＯＦＦ信号を送信する。するとＣＰＵ２０１は、送話遮断信号を音響部２０２に送信することで、ハンズフリーインターホン親機２のマイク２０３からドアホン子機のスピーカ１０４への送話音声を遮断させる事ができる。
【００１５】
また更に、来訪者がドアホン子機の前を立ち去ると、子機人感センサ１０６からＣＰＵ２０１に子機人感ＯＦＦ信号を送信する。ＣＰＵ２０１は親機人感ＯＦＦ信号、子機人感ＯＦＦ信号を受信すると、通話が終了したと判断し、ハンズフリーインターホン親機２の音響部２０２とドアホン子機１の音響部１０２を非能動とする。この事によりドアホン子機１とハンズフリーインターホン親機２との間の通話を終話させる事ができる。
【００１６】
図２は、本発明の第２の実施例によるインターホン装置の具体的な構成を示すブロック図である。なお、第１の実施例と同じ動作を行なうブロック図においては、同一の符号を付す。
【００１７】
ドアホン子機１は、ハンズフリーインターホン親機２と通話する為の音響部１０２、マイク１０３、スピーカ１０４、ハンズフリーインターホン親機２を呼び出すための呼出ボタン１０５、ドアホン子機１の前面に人が立っているかを検知する子機人感センサ１０６、子機Ｉ／Ｆ１０７を備え、ハンズフリーインターホン親機２は、ハンズフリーインターホン親機を制御するＣＰＵ２０１、ドアホン子機１と通話する為の音響部２０２、マイク２０３、スピーカ２０４、ドアホン子機１と通話／終話するための通話ボタン２０５、スピーカ２０４から超音波を発生させるための超音波発生部２０８、マイク２０３から入力された超音波を検出する超音波検出部２０９、親機Ｉ／Ｆ２０７を備えている。
【００１８】
このように構成されたインターホン装置について以下、動作を説明する。呼出及び通話操作は第１の実施例と同じである為省略する。通話状態になっている時、ハンズフリーインターホン親機２のＣＰＵ２０１は超音波発生部２０８にて発生された超音波をスピーカ２０４にて出力させる。ハンズフリーインターホン親機２の前面に居住者が立っている場合には、スピーカ２０４から出力された超音波が居住者にて反射されマイク２０３に入力される。マイク２０３に入力された超音波は超音波検出部２０９にて検出され、超音波検出信号(親機人感ＯＮ信号)をＣＰＵ２０１に送信する。ドアホン子機１からは子機人感ＯＮ信号がＣＰＵ２０１に送信される。なお、音響部２０２は音声信号のみを入出力するため、超音波が入力されても親機Ｉ／Ｆ２０７に超音波を送出することはない。
【００１９】
この時に、居住者が通話ボタン２０５の押下を忘れて立ち去ってしまった場合、スピーカ２０４から出力された超音波がマイク２０３で受信されない為、超音波検出部２０９は、ＣＰＵ２０１に超音波非検出信号(親機人感ＯＦＦ信号)を送信する。するとＣＰＵ２０１は、送話遮断信号を音響部２０２に出力することで、ハンズフリーインターホン親機２のマイク２０３からドアホン子機のスピーカ１０４への送話音声を遮断させる事ができる。
【００２０】
また更に、来訪者がドアホン子機の前を立ち去ると、子機人感センサ１０６からＣＰＵ２０１に子機人感ＯＦＦ信号を送信する。ＣＰＵ２０１に超音波非検出信号(親機人感ＯＦＦ信号)、子機人感ＯＦＦ信号が受信されると、ＣＰＵ２０１は通話が終了したと判断し、ハンズフリーインターホン親機２の音響部２０２とドアホン子機１の音響部１０２を非能動とすることで、ドアホン子機１とハンズフリーインターホン親機２との間で通話を終話させる事ができる。
【００２１】
尚、マイク２０３、スピーカ２０４は音声通話と超音波の送受信の２種類を兼用する内容として記載したが、別々に設けても良い。
【図面の簡単な説明】
【００２２】
【図１】本発明の第１の実施例によるインターホン装置の具体的な構成を示すブロック図。
【図２】本発明の第２の実施例によるインターホン装置の具体的な構成を示すブロック図。
【符号の説明】
【００２３】
１              ドアホン子機
１０６          子機人感センサ
２              ハンズフリーインターホン親機
２０２     親機音響部
２０３     マイク
２０４     スピーカ
２０６     親機人感センサ
２０８     超音波発生部
２０９     超音波検出部
【図１】
2008085404.tif 000003
【図２】
2008085404.tif 000004